(57)【要約】【課題】合成樹脂製の波板を用いた場合であっても十分な耐候性と強度を有しつつ、屋根材下部の換気を行うこと。【解決手段】垂木１１と、垂木１１に下面が支持された野地板１２と、野地板１２の上に配置された波板１３と、波板１３の上に配置された桟木１４と、桟木１４の上に配置された化粧材１５と、波板１３の波上部１３ａを貫通して野地板１２、垂木１１の順で打たれた固定釘２０と、化粧材１５から桟木１４に打たれた締結釘２２とを備えている。【選択図】      図２
2010242353.tif 000002
【特許請求の範囲】
【請求項１】
垂木と、
この垂木に下面が支持された野地板と、
この野地板の上に配置された波板と、
この波板の上に配置された桟木と、
この桟木の上に配置された平板状の化粧材と、
上記波板の波上部を貫通して上記野地板、上記垂木の順で打たれた固定釘と、
上記化粧材から上記桟木に打たれた締結釘とを備えていることを特徴とする屋根構造。
【請求項２】
上記波板と上記野地板との間には、通気層が形成されていることを特徴とする請求項１に記載の屋根構造。
【請求項３】
上記波板と上記化粧材との間には、通気層が形成されていることを特徴とする請求項１に記載の屋根構造。
【請求項４】
上記化粧板は、水平方向に隣接する化粧板に対し、その側端を対向させて配置されていることを特徴とする請求項１に記載の屋根構造。
【請求項５】
上記化粧板は、上記締結釘は、上記化粧板の下端側で上記桟木に打たれていることを特徴とする請求項１に記載の屋根構造。
【請求項６】
垂木と、
この垂木に下面が支持された野地板と、
この野地板の上に配置された波板と、
この波板の上に配置された桟木と、
この桟木の上に配置された平板状の化粧材と、
上記波板の波上部を貫通して上記野地板、上記垂木の順で打たれた固定釘と、
上記化粧材の下端部を上記桟木に係合させる係合部とを備えていることを特徴とする屋根構造。
【請求項７】
上記波板と上記野地板との間には、通気層が形成されていることを特徴とする請求項６に記載の屋根構造。
【請求項８】
上記波板と上記化粧材との間には、通気層が形成されていることを特徴とする請求項６に記載の屋根構造。
【請求項９】
上記化粧板は、水平方向に隣接する化粧板に対し、その側端を対向させて配置されていることを特徴とする請求項６に記載の屋根構造。
【発明の詳細な説明】
【技術分野】
【０００１】
本発明は、高級素材である天然石やタイル（陶磁器）等の化粧材を屋根材として用いた屋根構造に関し、特に安価で防水性、軽量化、耐久性を有するとともに、軒先から棟へ空気が流れる通気性を有するものに関する。
【背景技術】
【０００２】
家屋の屋根構造に用いる屋根下葺防水材として、アスファルトルーフィングとゴムアスファルトルーフィングや、透湿防水シート（野地から垂直方向に湿気をシート上に通過させる透湿性を持った防水シート）がよく知られている（例えば、特許文献１，２参照）。このような屋根下葺防水材は低コストであり多用されている。
【０００３】
なお、図８は、屋根構造の一例を示す図である。図８中１００は野地板、１０１は透湿防水シート、１０２は桟木、１０３は瓦材を示しており、これら各部材は、固定釘１０４によって瓦材１０３の上端部、桟木１０２、透湿防水シート１０１、野地板１００の順で固定されている。
【特許文献１】特開２００７−１２６９５３号公報
【特許文献２】特開２００７−２２３０４６号公報
【発明の開示】
【発明が解決しようとする課題】
【０００４】
上述した屋根下葺防水材を用いた屋根構造では、次のような問題があった。すなわち、現在の住宅は長寿命化が推進されているため、その寿命が６０〜１００年とも言われているのに対し、アスファルトルーフィングやゴムアスファルトルーフィングは熱劣化が起きやすく、３０年もしないうちに劣化して収縮し破れてしまう。また、防水性は優れているものの、野地の湿気を排出する透湿性はない。そのため、野地で結露が起きやすく、野地の劣化も進行するという問題があった。
【０００５】
一方、透湿防水シートは、シートの熱劣化と野地の劣化を防ぐための改良が加えられ、耐久性に関しては十分であるが、防水性に問題がある。すなわち、釘穴シール性の改善がいろいろ検討されているが、防水シートを止め付けるためのタッカ（針）や固定釘に対する止水性はなかなか改善されていない。
【０００６】
なお、天然石などを屋根材として使用する工法は昔から高級住宅などによく採用されていた。図９はこのような天然石を用いた屋根構造であり、図中１００は野地板、１１０は垂木、１２０は天然石を示している。天然石１２０は、瓦のように水を受ける構造となっていないために（単純なほぼ平板状）、図９に示すように、重なり領域を広く（２枚重ね）することで、漏水を防いでいた。しかしながら、天然石１２０の暴露率（表に見える率）が低いことから、葺き枚数が増え、コストが高くなるという問題があった。
【０００７】
また、タイル材などを屋根材として使用する工法も天然石のコストダウン工法としての試みも行われている。図１０はこのようなタイル材を用いた屋根構造であり、図中１００は野地板、１３０はタイル材、１４０は水受け板を示している。これは、図１０に示すように、暴露率を増やすためにほぼ平板状のタイル材１３０の突き合わせ部分の下に水受け板１４０を入れて雨水を排出する構造を有している。このため、暴露率を増やすことができコストを低減できるが、施工性の問題や漏水の問題で普及していない。
【０００８】
合成樹脂製の波板は、従来よりエクステリアにおいて屋根材として広く用いられている。波形状で雨水を流すために漏水は無く、緩勾配でも使用可能であるという利点があるものの、不燃材ではないため、住宅の屋根では使用できなかった。また、紫外線劣化するためカーポートにおいても長期使用ができなかった。
【０００９】
そこで本発明は、十分な耐久性及び防水性を備えた屋根構造を提供することを目的としている。
【課題を解決するための手段】
【００１０】
前記課題を解決し目的を達成するために、本発明の屋根構造は次のように構成されている。
【００１１】
垂木と、この垂木に下面が支持された野地板と、この野地板の上に配置された波板と、この波板の上に配置された桟木と、この桟木の上に配置された化粧材と、上記波板の波上部を貫通して上記野地板、上記垂木の順で打たれた固定釘と、上記化粧材から上記桟木に打たれた締結釘とを備えていることを特徴とする。
【００１２】
垂木と、この垂木に下面が支持された野地板と、この野地板の上に配置された波板と、この波板の上に配置された桟木と、この桟木の上に配置された平板状の化粧材と、上記波板の波上部を貫通して上記野地板、上記垂木の順で打たれた固定釘と、上記化粧材の下端部を上記桟木に係合させる係合部とを備えていることを特徴とする。
【発明の効果】
【００１３】
本発明によれば、十分な耐久性及び防水性を備えることが可能となる。
【発明を実施するための最良の形態】
【００１４】
図１は本発明の第１の実施の形態に係る屋根構造１０を示す断面図、図２〜図４は同屋根構造１０の施工手順を示す断面図、図５は屋根構造１０を一部切欠して示す斜視図である。
【００１５】
屋根構造１０は、垂木１１と、この垂木１１に下面が支持された野地板１２と、この野地板１２の上に配置された波板１３と、この波板１３の上に配置された桟木１４と、この桟木１４の上に配置された化粧材１５とを備えている。
【００１６】
化粧材１５は、平板状に形成され外観に優れた化粧材であり、耐熱性が高く、かつ、紫外線を防御する機能を有する材料で形成されている。例えば、天然石、タイル材（陶磁器質）、焼き物、レンガ、保水材、セメント板、金属板、ガラス等が用いられる。
【００１７】
これら垂木１１、野地板１２、波板１３、桟木１４、化粧材１５は、固定釘２０，２１及び締結釘２２により固定されている（図２〜図４参照）。固定釘２０は、波板１３、野地板１２、垂木１１の順で打たれ、固定釘２１は、桟木１４、波板１３、野地板１２、垂木１１の順で打たれ、締結釘２２は化粧材１５から桟木１４に向かって打たれている。
【００１８】
化粧板１５は、水平方向に隣接する化粧板１５に対し、その側端を対向させて配置されている（図４参照）。また、締結釘２２は、化粧板１５の下端側で桟木１４に打たれている。
【００１９】
野地板１２の最上部には、換気スリット１２ａが形成されている。この換気スリット１２ａに跨るようにして棟包３０及び防水板金３１が配置されている。
【００２０】
最上段の化粧板１５の最上部には、桟木１４が隣接配置されている。波板１３の最上部と最上段の化粧板１５及び桟木１４との間には、上述した防水板金３１を介して空気流通部材３２が配置されている。また、最上段の化粧板１５及び桟木１４の上面には空気流通部材３３を介して棟方向に沿って延びる笠木３４が設けられている。そして、笠木３４は、上述した棟包３０の下面によって支持されている。さらに、固定釘２３により笠木３４、空気流通部材３３、桟木１４、空気流通部材３２、波板１３、野地板１２、垂木１１の順で打たれて固定されている。
【００２１】
波板１３は、合成樹脂製（ポリ塩化ビニル樹脂やポリカーボネート樹脂）であり、波上部１３ａと波下部１３ｂとが交互に、かつ、一定の間隔で形成されている。また、波上部１３ａと波下部１３ｂとが並ぶ波方向は、垂木１１の延びる方向と直交して配置されている。なお、固定釘２０，２１は、図２〜図４に示すように波上部１３ａを貫通して打ち込まれている。
【００２２】
なお、図１中４０は最下段の化粧板１５と野地板１２との間に配置された空気流通部材、４１は水切り部材を示している。
【００２３】
図５は屋根構造１０を一部切欠して示す斜視図である。なお、桟木１４と化粧材１５の厚みがほぼ同じに設定されている。これは、桟木１４が厚すぎると化粧材１５の上段と下段の隙間ができ、防水性が低下するという問題が生じる。一方、桟木１４が薄いと化粧材１５同士で受けあうことになるので、締結釘２２をもみすぎると化粧材１５が割れる可能性がある。
【００２４】
このような屋根構造１０は、次のようにして施工される。最初に、図２に示すように、垂木１１上に野地板１２を配置し、その上に波板１３を敷く。そして、固定釘２０にて波板１３の波上部１３ａから野地板１２を貫通させ、垂木１１に向かって打ち込む。次に、図３に示すように、桟木１４を配置し、固定釘２１にて桟木１４の上から波板１３の波上部１３ａ及び野地板１２を貫通させ、垂木１１に向かって打ち込む。次に、図４に示すように、化粧材１５を配置し、締結釘２２により、化粧材１５と桟木１４とを固定する。
【００２５】
このように構成された屋根構造１０では、波板１３の上に化粧材１５が配置されるため、合成樹脂製の波板１３には直射日光は当たらず、経年劣化が少なくなる。また、波板１３には固定釘２０，２１を貫通するための孔が形成されるが、その孔は波板１３の波上部１３ａに形成されることになるため、化粧材１５と波板１３との間に浸入した水滴は、波上部１３ａに流入することがない。すなわち、水滴は波板１３の波下部１３ｂに溜まり、軒先側に流れ落ちることになり、防水のためのルーフィングが別途不要となる。すなわち、波板１３は屋根下葺材（水受け部材）としての機能を有することとなり、十分な耐候性と低コスト性を有することになる。
【００２６】
なお、水平方向に隣接する化粧材１５同士は重ね合わされていないため、その隙間から波板１３上に雨水が滴下するが、上述したような構造により、防水性は確保される。また、化粧材１５の重ね合わせ代を最小限にすることにより、化粧材１５の数量の節約、化粧材１５の見栄え等を優先して配置することが可能となる。
【００２７】
一方、波板１３はその構造上通気路が形成されているため、野地板１２と化粧材１５の間の換気を十分に行うことができる。特に、波上部１３ａと波下部１３ｂとが並ぶ波方向を垂木１１の延びる方向と直交して配置することで、通気路が軒先から棟側に向かって形成されることとなり、図１中Ｆに示すように換気を円滑に行うことができる。このため、野地板１２の湿気を野地板１２と波板１３との空間から棟から排湿できる、野地板１２での結露を防止でき、野地板１２の耐久性を向上させることができる。同様にして化粧材１５下の熱気や雨水等の湿気を棟から排出できる。このため、断熱性も向上させることができる。
【００２８】
さらに、天然石やタイルなどデザイン性に優れているがそれ自体が防水構造を持たない化粧材１５を屋根材として使用できるため、デザインの自由度が増すというメリットがある。また、化粧材１５は、高級素材により見栄えが向上するとともに、不燃性・紫外線に強い・遮音性・高耐久性・高い凍害性等の合成樹脂製の波板１３には無い弱点をカバーすることができる。また、化粧材１５の暴露率を高くすることができるため、材料コストを低減できるとともに、軽量化を図ることができ、高耐久性のある屋根構造が得られる。
【００２９】
上述したように、本実施の形態に係る屋根構造１０によれば、合成樹脂製の波板１３を屋根下葺材として用いることで十分な耐久性を有しつつ、防水性を維持し、また野地板１２と化粧材１５との間（化粧材の下部）の換気を行うことが可能となる。さらに、化粧材１５の見栄えを優先して配置することが可能となり、外観が良くなる。
【００３０】
図６は本発明の変形例を示す要部断面図、図７は同変形例を示す斜視図である。本変形例では、化粧板１５の下端部と桟木１４とを係合させるフック（係合部材）１６が設けられている。このようなフック１６を用いることにより、化粧板１５に孔を開ける必要がなく、加工が困難な素材を用いた化粧板１５であっても、使用することが可能となる。
【００３１】
なお、本発明は前記実施の形態に限定されるものではなく、波板の波方向を垂木１１の延びる方向と並行に配置してもよい。この他、本発明の要旨を逸脱しない範囲で種々変形実施可能であるのは勿論である。
【図面の簡単な説明】
【００３２】
【図１】本発明の一実施の形態に係る屋根構造を示す断面図。
【図２】同屋根構造の施工工程を示す断面図。
【図３】同屋根構造の施工工程を示す断面図。
【図４】同屋根構造の施工工程を示す断面図。
【図５】同屋根構造を一部切欠して示す斜視図。
【図６】同屋根構造の変形例を示す要部断面図。
【図７】同屋根構造の変形例を示す斜視図。
【図８】従来の屋根構造の一例を示す要部断面図。
【図９】従来の屋根構造の別の例を示す要部断面図。
【図１０】従来の屋根構造のさらに別の例を示す斜視図。
【符号の説明】
【００３３】
１０…屋根構造、１１…垂木、１２…野地板、１３…波板、１４…桟木、１５…化粧材、２０，２１，２３…固定釘、２２…締結釘。
【図１】
2010242353.tif 000003
【図２】
2010242353.tif 000004
【図３】
2010242353.tif 000005
【図４】
2010242353.tif 000006
【図５】
2010242353.tif 000007
【図６】
2010242353.tif 000008
【図７】
2010242353.tif 000009
【図８】
2010242353.tif 000010
【図９】
2010242353.tif 000011
【図１０】
2010242353.tif 000012